(57)【要約】【課題】消火操作時には早いタイミングで点火スイッチをＯＦＦさせ、点火操作時には確実にマグネット電磁弁を開弁保持させる。【解決手段】点火操作軸１４にスイッチカム２２を、回転方向では所定量の遊び２９を有して消火操作側へ回転付勢された状態で、点火操作軸１４と一体に前後移動可能に設けて、点火操作軸１４の消火位置では、規制片３１によって点火操作軸１４に対して消火操作側と反対方向でのみ遊びが生じるようにスイッチカム２２の回転を規制する一方、点火操作時には、押し込み操作される点火操作軸１４と共に移動するスイッチカム２２が点火スイッチ３７をＯＮさせ、消火操作時には、点火操作軸１４が消火位置へ達する前に、遊び２９の分だけ先に消火位置側へ回転付勢されているスイッチカム２２が点火スイッチ３７をＯＦＦさせるようにした。【選択図】図４
2007327704.tif 000002
【特許請求の範囲】
【請求項１】
点滅器内への押し込み操作によってガス供給路に設けられたマグネット電磁弁を強制的に開弁させる点火操作軸と、その点火操作軸の回転操作によって前記ガス供給路の開度を調整可能な閉子と、前記点火操作軸の操作と連係してＯＮ／ＯＦＦ動作する点火スイッチと、前記点火スイッチのＯＮ動作によって前記マグネット電磁弁へ通電させ、前記点火スイッチのＯＦＦ動作によって前記マグネット電磁弁への通電を停止させる制御手段とを備えたガス調理器の点火装置であって、
前記点火操作軸にカムを、前記点火操作軸の回転方向では所定量の遊びを有して前記点火操作軸の消火操作側へ回転付勢された状態で、且つ前記点火操作軸の前後方向では前記点火操作軸と一体に移動可能に設けて、前記点火操作軸の消火位置では、回転規制手段によって前記点火操作軸の前記消火操作側と反対方向への回転の場合でのみ遊びが生じるように前記カムの回転を規制する一方、
点火操作時には、押し込み操作される前記点火操作軸と共に移動する前記カムと連係して前記点火スイッチをＯＮさせ、消火操作時には、前記点火操作軸が前記消火位置へ達する前に、前記遊びの分だけ先に消火位置側へ回転付勢されている前記カムと連係して前記点火スイッチをＯＦＦさせるようにしたことを特徴とするガス調理器の点火装置。
【請求項２】
点滅器をバイパスしてバーナへ燃料ガスを供給するバイパス流路と、そのバイパス流路を開閉するニードル弁と、そのニードル弁の開閉位置を制御可能なガイド部材とを設けたものにあっては、点火操作軸に、前記ガイド部材と連係し、バーナの弱火位置となる前記点火操作軸の回転位置では前記ガイド部材を介して前記ニードル弁を閉弁位置に移動させ、それ以外の回転位置では前記ガイド部材を介して前記ニードル弁を開弁位置に移動させる第２のカムを設けた請求項１に記載のガス調理器の点火装置。
【発明の詳細な説明】
【技術分野】
【０００１】
本発明は、バーナを燃焼させて加熱調理するコンロやグリル等のガス調理器において、バーナを点火させるために設けられる点火装置に関する。
【背景技術】
【０００２】
例えばグリルの点火装置としては、特許文献１に示すようにいわゆる押し回し型コック（閉子）のものが知られている。この点火装置は、ガス供給路が内設され、そのガス供給路を開閉するマグネット電磁弁を設けた点滅器内に、前端に点火ツマミが固着される点火操作軸を、所定のストロークで軸方向へ前後移動可能且つコイルバネによって前方への突出状態で保持させて、点火操作軸の後端を、点滅器内に設けたコックに連結したものである。また、点滅器の前方には、点火用のマイクロスイッチ（点火スイッチ）が設けられ、点火操作軸にはカムが一体に設けられている。
【０００３】
よって、点火操作時に点火ツマミを押し込むと、点火操作軸が後退してマグネット電磁弁を強制的に開弁させる。そのまま点火ツマミを回転させると、点火操作軸と一体のコックが回転してガス供給路からの燃料ガスをバーナへ供給し、カムが点火スイッチをＯＮさせる。すると、点火スイッチのＯＮを検出した制御手段としてのコントローラがイグナイタを動作させてバーナに点火させると共に、マグネット電磁弁に通電させて開弁保持させるものとなる。
一方、消火操作時には、点火ツマミを消火側へ回転させると、カムが点火スイッチをＯＦＦさせる。よって、コントローラがマグネット電磁弁への通電を停止してマグネット電磁弁を閉弁させ、ガスの供給を遮断するものとなる。
【０００４】
【特許文献１】特開２００１−４１３１号公報
【発明の開示】
【発明が解決しようとする課題】
【０００５】
グリル用の点火装置においては、バーナの絞り率が小さいため、消火時にはバーナの燃焼に影響しないガス量で早めに点火スイッチをＯＦＦさせて消火させる必要がある。従って、点火スイッチはガス量の全開位置から消火側へ少し回転させた位置でＯＦＦさせる設定となっている。このため、逆に点火操作時には、押し込んだ点火操作軸を全開位置の手前まで比較的大きい角度回転させないと点火スイッチがＯＮしないことになる。よって、点火操作時に点火スイッチがＯＮする時点で押し込み力が弱くなって点火操作軸が戻っていると、マグネット電磁弁に通電しても開弁保持されない状態となり、点火不良となってしまう。
【０００６】
そこで、本発明は、このような押し回し型のものにあって、消火操作時の早いタイミングでの点火スイッチのＯＦＦを維持しつつ、点火操作時には確実にマグネット電磁弁を開弁保持でき、点消火動作の信頼性に優れるガス調理器の点火装置を提供することを目的としたものである。
【課題を解決するための手段】
【０００７】
上記目的を達成するために、請求項１に記載の発明は、点火操作軸にカムを、点火操作軸の回転方向では所定量の遊びを有して点火操作軸の消火操作側へ回転付勢された状態で、且つ点火操作軸の前後方向では点火操作軸と一体に移動可能に設けて、点火操作軸の消火位置では、回転規制手段によって点火操作軸の消火操作側と反対方向への回転の場合でのみ遊びが生じるようにカムの回転を規制する一方、点火操作時には、押し込み操作される点火操作軸と共に移動するカムと連係して点火スイッチをＯＮさせ、消火操作時には、点火操作軸が消火位置へ達する前に、遊びの分だけ先に消火位置側へ回転付勢されているカムと連係して点火スイッチをＯＦＦさせるようにしたことを特徴とするものである。
請求項２に記載の発明は、請求項１の目的に加えて、点滅器をバイパスしてバーナへ燃料ガスを供給するバイパス流路と、そのバイパス流路を開閉するニードル弁と、そのニードル弁の開閉位置を制御可能なガイド部材とを設けたものにあって、ニードル弁の確実且つ合理的な開閉制御を行うために、点火操作軸に、ガイド部材と連係し、バーナの弱火位置となる点火操作軸の回転位置ではガイド部材を介してニードル弁を閉弁位置に移動させ、それ以外の回転位置ではガイド部材を介してニードル弁を開弁位置に移動させる第２のカムを設けたものである。
【発明の効果】
【０００８】
請求項１に記載の発明によれば、点火操作時には、点火操作軸の押し込み操作でカムによって点火スイッチがＯＮしてマグネット電磁弁に通電されるので、その後の点火操作軸の回転操作の際の押し込み量が不十分でも、確実にマグネット電磁弁が開弁保持される。よって、点火不良が生じにくくなる。一方、消火操作時には、点火操作軸が消火位置に達するよりも早いタイミングでカムが点火スイッチをＯＦＦさせてマグネット電磁弁への通電を停止させるため、バーナの絞り率が小さいグリルでも燃焼性能に影響なく採用可能となる。よって、点消火動作の信頼性に優れる点火装置が得られる。
請求項２に記載の発明によれば、請求項１の効果に加えて、点火操作軸に設けた第２のカムをガイド部材に連係させたことで、ニードル弁の確実な開閉制御が合理的に実現可能となる。
【発明を実施するための最良の形態】
【０００９】
以下、本発明の実施の形態を図面に基づいて説明する。
図１は、ガス調理器としてのグリルに設けられる点火装置の一例を示す側面説明図で、点火装置１は、グリルの図示しない器体に固定されるフレーム２と、そのフレーム２の後方（図１（Ａ）の左側）に固定されて前後方向へ延びる点滅器３とを有する。点滅器３内には、前後方向にガス供給路４が形成され、点滅器３の後方側に設けられてガス管から燃料ガスが供給されるガス入口５と、前方側に設けられてバーナ側へ接続されるガス出口６と夫々連通している。ガス供給路４の後端には、ガス入口５際でガス供給路４を開閉するマグネット電磁弁７が配置される一方、ガス供給路４内には、ガス出口６際でガス供給路４の開度を調整する閉子９と、その閉子９に係合する放射状のピン８ａ，８ａを備えて閉子９を回転させるスピンドル８とが設けられている。このスピンドル８は、ガス供給路４内に設けられたコイルバネ１０によって前進位置に付勢されており、この前進位置では、図１（Ａ）のようにマグネット電磁弁７は弁体の付勢によってガス供給路４を閉弁する。スピンドル８が後方へ押し込まれて後退すると、スピンドル８の後端がマグネット電磁弁７の弁体を押し込んで強制的に開弁させるものとなる。
【００１０】
フレーム２は、点滅器３が固定される二枚重ねの後板１１と、上下に設けた連結板１３，１３によって後板１１と平行にネジ止めされるコ字状の前板１２とを有し、後板１１と前板１２との間に、横断面が二面幅となる点火操作軸１４が、軸方向へ前後移動可能且つ回転可能に保持されて、後板１１を貫通させた後端を点滅器３内でスピンドル８と同軸で連結している。点火操作軸１４には、後板１１寄りに係止板１５が、前板１２寄りに、本発明の第２のカムとなる扇状のニードルカム１６が夫々一体回転可能に外装されて、係止板１５とニードルカム１６との間で外装された主コイルバネ１７により、点火操作軸１４は、後板１１の後方に設けたストッパ部１８が後板１１に当接する前進位置に付勢されている。この前進位置は、スピンドル８の前進位置に対応している。
【００１１】
また、点火操作軸１４には、点滅器３内で規制板１９が一体回転可能且つ軸方向へ前後移動可能に外装されて、コイルバネ２０によってストッパ部１８に当接する前進位置に付勢されている。この前進位置では、点滅器３内に設けた図示しないストッパに係止して前進位置での点火操作軸１４の回転を規制している。点火操作軸１４を主コイルバネ１７の付勢に抗して押し込む（後退させる）と、規制板１９が後退してストッパとの干渉が解かれ、図１（Ｂ）での左方向でスピンドル８と共に回転可能となる。２１は、前板１２の前方で点火操作軸１４の前端に固着された点火ツマミである。
【００１２】
さらに、点火操作軸１４におけるニードルカム１６の前方には、本発明のカムとなるスイッチカム２２が外装されている。このスイッチカム２２は、図４（Ｂ）にも示すように、ニードルカム１６の扇状のカム部と反対側に扇状のカム部２３を位置させるもので、カム部２３の後面（押し込み側の面）が後述するイグナイタスイッチ３２の作動片３４との当接面となる。但しその当接面は、図４（Ｂ）で見て点火操作軸１４の回転方向右側の大部分が第１当接面２４、点火操作軸１４の回転方向左端部分が、第１当接面２４よりも前方に位置する第２当接面２５となり、第１当接面２４と第２当接面２５との間が傾斜面２６で連続する二段形状となっている。また、傾斜面２６の外周側には、後述する点火スイッチ３７の作動片３８と干渉する角部２７が突設されている。
【００１３】
そして、スイッチカム２２は、点火操作軸１４の二面幅に対して正逆両方向で所定角度（ここでは夫々３５°）回転できるように、点火操作軸１４に嵌合する嵌合孔２８に当該角度に応じた遊び２９，２９を夫々点対称に設けている。但し、主コイルバネ１７は、係止板１５から前方側へ立設した係止片３０に一端が係止し、ねじりが加えられて他端がスイッチカム２２のカム部２３に係止することで、スイッチカム２２を右回転方向へ付勢するトーションバネともなっていることから、スイッチカム２２は、点火操作軸１４に対して右回転方向へは遊びをなくした状態で一体回転することになるが、図１に示す点火操作軸１４の消火位置では、前板１２から後方へ折曲形成した回転規制手段としての規制片３１により、点火操作軸１４の左回転の場合でのみ遊びが生じる状態で回転規制されている。
【００１４】
３２は、イグナイタ作動用のマイクロスイッチ（以下「イグナイタスイッチ」という。）で、後板１１の側端から前方に折り曲げた固定片３３上で、作動片３４を前側にして山形の接触部３５が、消火位置でのスイッチカム２２の第２当接面２５の後方に位置するように斜め縦向きに取り付けられている。このイグナイタスイッチ３２の上方にも、後板１１の側端から前方に折り曲げ形成された固定片３６上で、点火用のマイクロスイッチ（以下「点火スイッチ」という。）３７が、作動片３８を前後方向にして山形の接触部３９が、消火位置でのスイッチカム２２の角部２７と干渉して作動片３８が押し込まれるように斜め縦向きに取り付けられている。
【００１５】
一方、図１（Ｂ）及び図２に示すように、フレーム２におけるイグナイタスイッチ３２取付側と反対側の側面には、マニホールド４０が取り付けられている。このマニホールド４０は、ガス管から点滅器３をバイパスしてバーナ側へ接続される図示しないバイパス管に組み込まれて、内部に設けたニードル弁４１によってバイパス流路を開閉するもので、ニードル弁４１におけるマニホールド４０からの突出端部には、ピン４２が直交状に取り付けられると共に、コイルバネ４３の一端が外装されている。このコイルバネ４３の他端は、フレーム２の側面にネジ止めされたコ字状のガイド金具４４の一端部４５に係止して、ニードル弁４１をマニホールド４０内への押し込み方向（バイパス流路の閉塞側）へ付勢するものである。ガイド金具４４の他端部４６には、ピン４２の一端が遊挿するスリット４７が形成されて、ニードル弁４１の軸方向への移動のガイドと回転規制とを行っている。
また、ピン４２の他端は、ニードル弁４１の後方で端部がピン４９によってフレーム２側へ回転可能に軸着されるＬ字状の揺動板４８（ガイド部材）の自由端側に係止して、ニードル弁４１の押し込み位置を規制している。揺動板４８の自由端には、レバー５０が折曲形成されてフレーム２内に突出し、ニードルカム１６と干渉可能となっている。
【００１６】
図１（Ｂ）において、５１は、前板１２の前面側で一端が固着され、他端に、前板１２を貫通してフレーム２内へ突出するピン５２を設けたバネ板で、スイッチカム２２の前方で点火操作軸１４と一体に設けたクリック板５３の周縁に同心円上で所定間隔で形成された図示しない切欠及び透孔に、後述する消火位置、強火位置、弱火位置で夫々ピン５２を嵌合させて、点火操作軸１４の回転操作時のクリック感が得られるようになっている。
【００１７】
以上の如く構成された点火装置１の点消火動作を、図３の点火操作軸１４の前後位置及び回転角度を示す説明図と共に説明する。
まず、点火操作軸１４の消火位置（図３に示す位置ａ）では、点火操作軸１４は図１に示す前進位置にあって、スイッチカム２２は、前述のように第２当接面２５がイグナイタスイッチ３２の接触部３５の前方に位置し、角部２７が点火スイッチ３７の作動片３８を押し込んでいる（このときの点火スイッチ３７はＯＦＦである）。また、ニードルカム１６は、カム部がレバー５０を押し込んで、揺動板４８を、ピン４２を介してニードル弁４１を引き出す方向へ回転させている。よって、マニホールド４０のバイパス流路は開放されている。
【００１８】
ここから点火ツマミ２１を押し込むと、図４に示すように、点火操作軸１４が後退してスピンドル８を介してマグネット電磁弁７を強制的に開弁させる（図３の位置ｂ）と共に、同時に後退したスイッチカム２２の角部２７が点火スイッチ３７の作動片３８から離れて、点火スイッチ３７をＯＮさせる（位置ａ′）。よって、制御手段となる図示しないコントローラがマグネット電磁弁７へ通電させて開弁保持させ、バーナへ燃料ガスを供給させる。このときスイッチカム２２の第２当接面２５はイグナイタスイッチ３２の接触部３５に近接するにとどまり、作動片３４を押し込むには至らない。
【００１９】
次に、点火ツマミ２１を押し込んだまま左回転させると、図５に示すように、点火操作軸１４がまず遊び２９の分である３５°回転した後（位置ｃ）、スイッチカム２２が点火操作軸１４と一体に左回転する。図６に示すように、スイッチカム２２が２０°（点火操作軸１４は５５°）左回転した位置ｄで、スイッチカム２２の傾斜面２６がイグナイタスイッチ３２の接触部３５に当接して接触部３５を第１当接面２４に乗り上げさせて作動片３４を押し込む。よって、イグナイタスイッチ３２がＯＮしてこのＯＮ信号を得たコントローラがイグナイタを所定時間作動させてバーナを点火させる。点火スイッチ３７のＯＮ状態は変わらないためマグネット電磁弁７への通電は維持されている。
【００２０】
そのまま点火ツマミ２１を５°回転させると（位置ｅ）、規制板１９が点滅器３内の図示しないストッパに当接してそれ以上の回転が規制されるため、ここで点火ツマミ２１の押し込みを解除すると、図７に示すように、コイルバネ１０の付勢によって点火操作軸１４が前進位置へ復帰する（位置ｆ）。同時にスイッチカム２２も前進してイグナイタスイッチ３２の作動片３４から離れるため（位置ｅ′）、イグナイタスイッチ３２はＯＦＦとなる。このときスピンドル８と共に回転した閉子９によってガス供給路４は全開となるので、バーナは強火で燃焼する。なお、この強火位置でも、ニードルカム１６による揺動板４８の位置は変わらないから、バイパス流路は開放のままとなる。
【００２１】
この強火位置から図８に示すように点火ツマミ２１をさらに４０°左回転させると、閉子９が絞られてガス供給路４が半開となり、バーナは弱火で燃焼する（位置ｇ）。この弱火位置では、同図（Ｂ）に示す如くニードルカム１６はレバー５０から離れて揺動板４８によるニードル弁４１の押し込み規制を解除するため、図９にも示すようにニードル弁４１はコイルバネ４３によってマニホールド４０内に押し込まれてバイパス流路を閉塞する。このときもイグナイタスイッチ３２はＯＦＦ、点火スイッチ３７はＯＮである。
なお、強火位置及び弱火位置でバーナが失火すると、バーナの燃焼を熱電対の熱起電力で監視していたコントローラがこれを検知してマグネット電磁弁７への通電を停止するため、マグネット電磁弁７が閉弁してガス供給路４が閉塞される。
【００２２】
そして、バーナを消火する際、点火ツマミ２１を右回転させると、右回転付勢で当該方向で遊び２９をなくしたスイッチカム２２が点火操作軸１４と一体回転するため、図１０に示すように、点火操作軸１４が消火位置に戻るよりも遊び２９の角度だけ早くスイッチカム２２が消火位置に達し、角部２７を点火スイッチ３７の接触部３９に当接させて作動片３８を押し込む（位置ｈ）。よって、点火スイッチ３７がＯＦＦしてこれを検知したコントローラがマグネット電磁弁７への通電を停止させてガス入口５側でガス供給路４を閉塞し、バーナを消火させる。さらに点火ツマミ２１を右回転させると、スイッチカム２２が規制片３１に当接した後、点火操作軸１４のみが遊び２９の分回転し、消火位置（位置ａ）に達すると閉子９がガス出口６側でガス供給路４を閉塞させる。
この点火ツマミ２１の右回転操作の際、点火操作時と逆に、同図（Ｂ）に示すように、ニードルカム１６がレバー５０を押圧して揺動板４８をニードル弁４１の引っ張り側へ揺動させる。よって、ニードル弁４１がコイルバネ４３の付勢に抗してマニホールド４０から突出してバイパス流路を開放する。このため、位置ｇ−ｈ間で点火ツマミ２１の回転操作を早く行ってもバイパス管を介してバーナへの燃料ガスの供給が維持され、不意の立ち消えが生じなくなる。
【００２３】
このように上記形態の点火装置１によれば、点火操作軸１４にスイッチカム２２を、点火操作軸１４の回転方向では所定量の遊び２９を有して点火操作軸１４の消火操作側へ回転付勢された状態で、且つ点火操作軸１４の前後方向では点火操作軸１４と一体に移動可能に設けて、点火操作軸１４の消火位置では、規制片３１によって点火操作軸１４の消火操作側と反対方向への回転の場合でのみ遊び２９が生じるようにスイッチカム２２の回転を規制する一方、点火操作時には、押し込み操作される点火操作軸１４と共に移動するスイッチカム２２と連係して点火スイッチ３７をＯＮさせ、消火操作時には、点火操作軸１４が消火位置へ達する前に、遊び２９の分だけ先に消火位置側へ回転付勢されているスイッチカム２２と連係して点火スイッチ３７をＯＦＦさせるようにしたことで、点火操作時には、点火操作軸１４の押し込み操作で点火スイッチ３７がＯＮしてマグネット電磁弁７に通電されるので、その後の点火操作軸１４の回転操作の際の押し込み量が不十分でも、確実にマグネット電磁弁７が開弁保持される。よって、点火不良が生じにくくなる。一方、消火操作時には、点火操作軸１４が消火位置に達するよりも早いタイミングでクラッチカム２２が点火スイッチ３７をＯＦＦさせてマグネット電磁弁７への通電を停止させるため、バーナの絞り率が小さいグリルでも燃焼性能に影響なく採用可能となる。よって、点消火動作の信頼性に優れる点火装置１が得られる。
【００２４】
特にここでは、点火操作軸１４に、揺動板４８と連係し、バーナの弱火位置となる点火操作軸１４の回転位置では揺動板４８を介してニードル弁４１を閉弁位置に移動させ、それ以外の回転位置では揺動板４８を介してニードル弁４１を開弁位置に移動させるニードルカム１６を設けたことで、ニードル弁４１の確実な開閉制御が合理的に実現可能となっている。
【００２５】
なお、点火操作軸とカムとの遊びの設定は、上記形態の二面幅と嵌合孔とによるものに限らず、断面円形の点火操作軸にピンや突起等によって突出部を設ける一方、カムの嵌合孔に、突出部が嵌入して回転方向で遊びを有する切欠を設ける等、適宜設計変更可能である。勿論遊びの量も上記形態に限らず、適用する調理器の種類や性能等に合わせて所望のタイミングで点火スイッチのＯＦＦができるように適宜変更することができる。
【図面の簡単な説明】
【００２６】
【図１】点火装置の説明図で、（Ａ）が左側面、（Ｂ）が正面（点火ツマミは省略）を夫々示す。
【図２】点火装置の右側面説明図である。
【図３】点消火時の点火操作軸の前後位置と回転角度とを示す説明図である。
【図４】点火ツマミを押し込んだ状態の点火装置の説明図で、（Ａ）が左側面、（Ｂ）が正面から見たスイッチカム及びニードルカムの位置を夫々示す。
【図５】遊び分だけ点火操作軸が回転した状態の点火装置の説明図で、（Ａ）が左側面、（Ｂ）が正面から見たスイッチカム及びニードルカムの位置を夫々示す。
【図６】イグナイタスイッチがＯＮした状態の点火装置の説明図で、（Ａ）が左側面、（Ｂ）が正面から見たスイッチカム及びニードルカムの位置を夫々示す。
【図７】点火ツマミの押し込みを解除した状態の点火装置の説明図で、（Ａ）が左側面、（Ｂ）が正面から見たスイッチカム及びニードルカムの位置を夫々示す。
【図８】弱火位置での点火装置の説明図で、（Ａ）が左側面、（Ｂ）が正面から見たスイッチカム及びニードルカムの位置を夫々示す。
【図９】弱火位置での点火装置の右側面説明図である。
【図１０】点火ツマミを消火側へ回転した状態の点火装置の説明図で、（Ａ）が左側面、（Ｂ）が正面から見たスイッチカム及びニードルカムの位置を夫々示す。
【符号の説明】
【００２７】
１・・点火装置、２・・フレーム、３・・点滅器、４・・ガス供給路、７・・マグネット電磁弁、８・・スピンドル、９・・閉子、１１・・後板、１２・・前板、１４・・点火操作軸、１６・・ニードルカム、１７・・主コイルバネ、２１・・点火ツマミ、２２・・スイッチカム、２４・・第１当接面、２５・・第２当接面、２６・・傾斜面、２７・・角部、２８・・嵌合孔、２９・・遊び、３１・・規制片、３２・・イグナイタスイッチ、３７・・点火スイッチ、４１・・ニードル弁。
【図１】
2007327704.tif 000003
【図２】
2007327704.tif 000004
【図３】
2007327704.tif 000005
【図４】
2007327704.tif 000006
【図５】
2007327704.tif 000007
【図６】
2007327704.tif 000008
【図７】
2007327704.tif 000009
【図８】
2007327704.tif 000010
【図９】
2007327704.tif 000011
【図１０】
2007327704.tif 000012